(57)【要約】【課題】  記録媒体への番組の録画予約をユーザの簡単な操作と装置側での簡単な処理で行えるようにする。【解決手段】  録画済の光ディスク１を装填し、リモコン１８を操作して録画予約ボタンを操作すると、システムコントローラ１０は、装填されている光ディスク１のユーザデータ領域を検索し、録画情報を読み出して録画情報一覧を表示装置２１に表示する。この表示からユーザが録画予約したい番組の録画情報を選択し、リモコン１８の録画予約ボタンを再度操作すると、システムコントローラ１０は、この操作信号に基づき、選択された録画情報の番組を録画予約番組として決定し、録画情報に従ってこれらの番組を録画予約モードに設定する。【選択図】  図１
2006005784.tif 000002
【特許請求の範囲】
【請求項１】
記録媒体への番組の録画を制御する録画制御手段を備えた情報処理装置において、
録画した番組の日付、曜日、録画時間、録画チャンネル等の録画情報を前記記録媒体に記録する記録手段を備えており、
前記録画制御手段は、前記記録媒体が装置本体に装填された状態で録画予約が選択されたとき、前記記録媒体に記録されている録画情報の中の月日情報に基づき、直近に録画された番組を録画予約番組として録画予約モードを設定することを特徴とする情報処理装置。
【請求項２】
記録媒体への番組の録画を制御する録画制御手段を備えた情報処理装置において、
録画した番組の録画情報を前記記録媒体に記録する記録手段と、
前記記録媒体の装置本体への装填時に該記録媒体から前記録画情報の一覧を読み出して表示する表示手段と、
前記表示手段に表示された録画情報の一覧から所有する録画情報を選択する選択手段とを備えており、
前記録画制御手段は、前記選択手段により選択された録画情報の番組を録画予約番組として録画予約モードを設定することを特徴とする情報処理装置。
【請求項３】
記録媒体への番組の録画を制御する録画制御手段を備えた情報処理装置において、
録画した番組の録画情報を前記記録媒体に記録する記録手段を備えており、
前記録画制御手段は、前記記録媒体が装置本体に装填された状態で録画予約が選択されたとき、前記記録媒体に記録されている録画情報の中で録画回数の最も多い番組を録画予約番組として録画予約モードを設定することを特徴とする情報処理装置。
【請求項４】
前記録画情報が、番組を録画した曜日、録画時間、録画チャンネルの情報を含むことを特徴とする請求項２または請求項３に記載の情報処理装置。
【発明の詳細な説明】
【技術分野】
【０００１】
本発明は、記録媒体への番組の録画を制御する録画制御手段を備えた情報処理装置に係り、特に、録画予約を簡単な操作で可能とした情報処理装置に関する。
【背景技術】
【０００２】
従来より、録画予約の操作を簡単化して、ユーザに煩わしい操作をさせないようにした録画再生装置が提案されている（例えば、特許文献１参照）。
【０００３】
特許文献１に記載の録画再生装置は、番組の録画と同時に映像カットの変わり目の集合からなる代表画像の一覧を作成する代表画像作成手段と、代表画像の１つを選択することによって番組の録画や再生の開始、終了を予約する番組予約インタフェースとを備えた構成となっている。すなち、既に録画されている番組の任意の部分の映像を予約情報として登録することで、予約した映像と同じシーンの映像が流れた時点から録画または再生を開始することができるようになっている。
【０００４】
この場合、録画予約の登録は、まず代表画像作成手段で作成された代表画像の一覧を表示し、その中から１つを指定する。次に確定ボタンを操作すると、予約映像特徴辞書が確定ボタンで登録されたシーンからある一定時間長の映像の特徴を表す情報を作成する。
【特許文献１】特開２０００−１５５９９８号公報
【発明の開示】
【発明が解決しようとする課題】
【０００５】
上記従来の録画再生装置によれば、代表画像一覧の中からユーザが所望する１つの代表画像を選択し、確定ボタンを押すことで、その代表画像の録画予約を行うことができる。しかしながら、そのためには、代表画像の作成や、確定ボタンで登録されたシーンからある一定時間の映像の特徴を表す情報を作成する必要があるため、装置側で極めて複雑な処理を行わなければならないといった問題があった。また、このような代表画像の情報は装置側に格納されているため、その代表画像一覧から選択した番組をどのディスクに録画するのかはユーザ自身が管理する必要があるため、例えば連続ドラマのようなシリーズ番組が誤って２つのディスクに分かれて録画されてしまうといった不具合が発生する可能性があった。
【０００６】
本発明はかかる問題点を解決すべく創案されたもので、その目的は、記録媒体への番組の録画予約をユーザの簡単な操作と装置側での簡単な処理で行えるとともに、録画する記録媒体の管理も容易に行うことのできる情報処理装置を提供することにある。
【課題を解決するための手段】
【０００７】
上記課題を解決するため、本発明の情報処理装置は、記録媒体への番組の録画を制御する録画制御手段を備えた情報処理装置において、録画した番組の日付、曜日、録画時間、録画チャンネル等の録画情報を前記記録媒体に記録する記録手段を備えており、前記録画制御手段は、前記記録媒体が装置本体に装填された状態で録画予約が選択されたとき、前記記録媒体に記録されている録画情報の中の月日情報に基づき、直近に録画された番組を録画予約番組として録画予約モードを設定することを特徴としている。
【０００８】
このような特徴を有する本発明によれば、ユーザは、対象となる記録媒体を装置本体に装填し、録画予約ボタンを押すだけで、記録媒体に記録されている録画情報の中の日付情報に基づき、直近に録画された番組を録画予約番組として自動的に録画予約モードを設定することができる。また、このような録画情報は記録媒体の例えばユーザデータ領域に記録して管理されているので、例えば連続ドラマ等のシリーズ番組を１つの記録媒体に録画している場合に、誤って別の記録媒体に続きのドラマを録画してしまうといった不具合は発生しない。
【０００９】
また、本発明の情報処理装置は、記録媒体への番組の録画を制御する録画制御手段を備えた情報処理装置において、録画した番組の録画情報を前記記録媒体に記録する記録手段と、前記記録媒体の装置本体への装填時に該記録媒体から前記録画情報の一覧を読み出して表示する表示手段と、前記表示手段に表示された録画情報の一覧から所有する録画情報を選択する選択手段とを備えており、前記録画制御手段は、前記選択手段により選択された録画情報の番組を録画予約番組として録画予約モードを設定することを特徴としている。この場合、前記録画情報は、番組を録画した曜日、録画時間、録画チャンネルの情報を含んでいる。
【００１０】
このような特徴を有する本発明によれば、ユーザは、対象となる記録媒体を装置本体に装填し、画面に表示される録画情報の一覧の中から録画予約を行いたい録画情報を選択し、録画予約ボタンを押すだけで、選択した録画情報の番組を録画予約番組として自動的に録画予約モードを設定することができる。
【００１１】
また、本発明の情報処理装置は、記録媒体への番組の録画を制御する録画制御手段を備えた情報処理装置において、録画した番組の録画情報を前記記録媒体に記録する記録手段を備えており、前記録画制御手段は、前記記録媒体が装置本体に装填された状態で録画予約が選択されたとき、前記記録媒体に記録されている録画情報の中で最も多く録画された番組を録画予約番組として録画予約モードを設定することを特徴としている。この場合、前記録画情報は、番組を録画した曜日、録画時間、録画チャンネルの情報を含んでいる。
【００１２】
このような特徴を有する本発明によれば、ユーザは、対象となる記録媒体を装置本体に装填し、録画予約ボタンを押すだけで、記録媒体に記録されている録画情報の中で録画回数の最も多い番組を録画予約番組として自動的に録画予約モードを設定することができる。これにより、ユーザが例えば連続ドラマ等のシリーズものの番組を１つの記録媒体に録画している場合において、その記録媒体に別の番組を１回録画したような場合でも、その記録媒体にシリーズものの番組を続けて録画することができる。
【発明の効果】
【００１３】
本発明の情報処理装置によれば、ユーザは、対象となる記録媒体を装置本体に装填し、録画予約ボタンを押すだけで、記録媒体に記録されている録画情報の中の日付情報に基づき、直近に録画された番組を録画予約番組として自動的に録画予約モードを設定することができる。
【００１４】
また、本発明の情報処理装置によれば、ユーザは、対象となる記録媒体を装置本体に装填し、画面に表示される録画情報の一覧の中から録画予約を行いたい録画情報を選択し、録画予約ボタンを押すだけで、選択した録画情報の番組を録画予約番組として自動的に録画予約モードを設定することができる。
【００１５】
また、本発明の情報処理装置によれば、ユーザは、対象となる記録媒体を装置本体に装填し、録画予約ボタンを押すだけで、記録媒体に記録されている録画情報の中で録画回数が最も多い番組を録画予約番組として自動的に録画予約モードを設定することができる。
【発明を実施するための最良の形態】
【００１６】
以下、本発明の実施の形態について、図面を参照して説明する。
【００１７】
図１は、本発明の情報処理装置をＤＶＤレコーダに適用した場合のシステム構成を示している。
【００１８】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００１９】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルのテレビジョン放送信号を受信するチューナ回路（ＢＳチューナ，ＣＳチューナ等）１６が接続されている。
【００２０】
システムコントローラ１０には、光ディスク１のパラメータやレーザパワーのパラメータ等の固有情報を格納しておくためのＥＥＰＲＯＭ１１が双方向に接続されているとともに、リモコン１８からの赤外線信号を受信する受信部１４が接続されている。また、システムコントローラ１０には、装置本体前面に設けられたＬＣＤ等からなる表示パネル１３が接続されている。
【００２１】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００２２】
システムコントローラ１０は、図示は省略しているがＣＰＵ、ＲＯＭ、ＲＡＭ等から構成されており、光ピックアップ３を制御して番組の録画処理や再生処理を実行する。これらの処理を実行するためのプログラムはＲＯＭに予め格納されており、システムコントローラ１０は、各処理の実行時にはＲＯＭから読み込んだプログラムをＲＡＭ上に展開して処理を実行する。
【００２３】
ここで、上記構成のＤＶＤレコーダにおいて、装填された光ディスク１に所望の番組を録画する場合の処理動作について、図２に示すフローチャートを参照して説明する。
【００２４】
例えば、リモコン１８を操作して、ユーザの所望する任意の番組の録画を開始すると、システムコントローラ１０は、チューナ回路１６を介して受信した任意の番組のテレビジョン放送信号を光ディスク１に録画（記録）する（ステップＳ１）。そして、録画を終了すると（ステップＳ２でＹｅｓと判断されると）、その録画情報（日付、曜日、録画時間、録画チャンネル等）を光ディスク１のユーザデータ領域に記録する（ステップＳ３）。
【００２５】
図３（ａ），（ｂ），（ｃ）は、光ディスク１に記録された録画情報の一例を示している。ただし、同図（ａ）は、日付までは記録しない例、同図（ｂ）は日付も含めて記録した例、同図（ｃ）は、同じ曜日の同じ録画時間の同じチャンネルの録画番組については、これを同じ番組（シリーズ番組）としてその録画回数も含めて記録した例である。そのため、同図（ａ）の録画情報は、録画曜日、録画時間、録画チャンネルの各項目からなっており、同図（ｂ）の録画情報は、日付、録画曜日、録画時間、録画チャンネルの各項目からなっており、同図（ｃ）の録画情報は、録画曜日、録画時間、録画チャンネル、録画回数の各項目からなっている。
【００２６】
システムコントローラ１０は、このような録画情報の光ディスク１への記録処理を、ユーザによって録画が指示されるたびに実行している。その結果、光ディスク１のユーザデータ領域には、当該光ディスク１に録画（記録）された番組の数だけ録画情報が記録されることになる。
【００２７】
また、システムコントローラ１０は、このような光ディスク１が装填され、ユーザがリモコン１８を操作して図示しない録画予約のボタンを操作したとき、光ディスク１のユーザデータ領域から録画情報を読み出し、この読み出した録画情報をデジタル信号処理回路７で一覧形式に加工して、表示装置２１に表示する。表示例としては、例えば図３に示す記録形式でそのまま表示する。システムコントローラ１０は、このような光ディスク１に記録された録画情報を利用して、録画予約モードの設定を行う。
【００２８】
次に、上記構成のＤＶＤレコーダにおいて、本発明の特徴である録画予約処理の実施例について説明する。
【実施例１】
【００２９】
本実施例１は、図３（ａ）に示す録画情報の一覧を利用する実施例である。以下、図４に示すフローチャートを参照して本実施例の録画予約処理動作を説明する。
【００３０】
ユーザが録画済の光ディスク１を装填し（ステップＳ１１）、リモコン１８を操作して図示しない録画予約ボタンを操作すると（ステップＳ１２でＹｅｓと判断されると）、システムコントローラ１０は、装填されている光ディスク１のユーザデータ領域を検索して、録画情報が記録されているかどうかを判別する（ステップＳ１３）。その結果、録画情報が記録されていない場合には、通常の録画予約処理に移行する（ステップＳ１４）。通常の録画予約処理とは、ユーザが録画日時、録画開始時刻、録画終了時刻、録画チャンネル等を個別に設定する処理、またはＧコード等を利用して設定する処理のことである。
【００３１】
一方、光ディスク１のユーザデータ領域に過去の録画情報が記録されている場合（ステップＳ１３でＹｅｓと判断された場合）には、この録画情報を読み出し、この読み出した録画情報をデジタル信号処理回路７で一覧形式に加工して、表示装置２１に表示する（ステップＳ１５）。表示例は上記したように図３に示した通りである。
【００３２】
ユーザが、この表示されている過去の録画情報一覧から、録画予約したい番組の録画情報を選択する（ステップＳ１６）。具体的には、リモコン１８の図示しない上下左右キー等を利用して、画面上に表示されているカーソルを移動させて選択する。この場合、録画情報は複数選択することも可能である。この後、ユーザは、リモコン１８の録画予約ボタンを再度操作すると、システムコントローラ１０は、この操作信号に基づき、選択された録画情報の番組を録画予約番組として決定し、録画情報に従ってこれらの番組を録画予約モードに設定する（ステップＳ１７）。
【００３３】
このように、本実施例１の録画予約処理によれば、ユーザは、対象となる光ディスク１を装填し、表示装置２１に表示される録画情報一覧の中から録画予約を行いたい録画情報を選択し、録画予約ボタンを押すだけで、選択した録画情報の番組を録画予約番組として自動的に録画予約モードを設定することができる。
【実施例２】
【００３４】
本実施例２は、図３（ｂ）に示す録画情報の一覧、すなわち、録画情報として日付まで記録している録画情報の一覧を利用する実施例である。以下、図５に示すフローチャートを参照して説明する。
【００３５】
ユーザが録画済の光ディスク１を装填し（ステップＳ２１）、リモコン１８を操作して図示しない録画予約ボタンを操作すると（ステップＳ２２でＹｅｓと判断されると）、システムコントローラ１０は、装填されている光ディスク１のユーザデータ領域を検索して、録画情報が記録されているかどうかを判別する（ステップＳ２３）。その結果、録画情報が記録されていない場合には、通常の録画予約処理に移行する（ステップＳ２４）。
【００３６】
一方、光ディスク１のユーザデータ領域に過去の録画情報が記録されている場合（ステップＳ２３でＹｅｓと判断された場合）には、この録画情報を読み出すとともに、この読み出した録画情報の中で直近に録画された番組を録画予約番組として録画予約モードを設定する（ステップＳ２５）。具体的には、光ディスク１から読み出された録画情報が図３（ｂ）に示す内容であった場合、システムコントローラ１０は、直近であるＮｏ．３の録画情報（２００４．６．２／水曜日／１９：００〜２０：００／８チャンネル）の番組を録画予約番組として録画予約モードを設定する。この場合、最初の日付（２００４．６．２）は無視して、「水曜日／１９：００〜２０：００／８チャンネル」の番組を録画予約番組として設定する。その結果、例えば本日が火曜日であった場合には、システムコントローラ１０は、翌日の１９：００に８チャンネルの番組の録画を開始し、同２０：００に録画を終了するように録画制御を行うことになる。
【００３７】
なお、この光ディスク１を装置本体から排出することなく１週間が経過した場合には、再び水曜日の１９：００に８チャンネルの番組の録画を開始し、同２０：００に録画を終了するように録画制御を行うことになる。つまり、録画予約番組が連続ドラマ等のシリーズ番組であった場合には、そのシリーズ番組が同じ光ディスク１に順次録画されることになる。また、録画終了後、光ディスク１が装置本体から排出された場合であっても、次の水曜日の録画開始時刻前に再び装置本体に装填して録画予約ボタンを操作しておけば、シリーズ番組が連続して録画されることになる。
【００３８】
このように、本実施例２の録画予約処理によれば、ユーザは、対象となる光ディスク１を装置本体に装填し、録画予約ボタンを押すだけで、光ディスク１に記録されている録画情報の中の日付情報に基づき、直近に録画された番組を録画予約番組として自動的に録画予約モードを設定することができる。
【実施例３】
【００３９】
本実施例３は、図３（ｃ）に示す録画情報の一覧、すなわち、録画情報として録画回数まで記録している録画情報の一覧を利用する実施例である。以下、図６に示すフローチャートを参照して説明する。
【００４０】
ユーザが録画済の光ディスク１を装填し（ステップＳ３１）、リモコン１８を操作して図示しない録画予約ボタンを操作すると（ステップＳ３２でＹｅｓと判断されると）、システムコントローラ１０は、装填されている光ディスク１のユーザデータ領域を検索して、録画情報が記録されているかどうかを判別する（ステップＳ３３）。その結果、録画情報が記録されていない場合には、通常の録画予約処理に移行する（ステップＳ３４）。
【００４１】
一方、光ディスク１のユーザデータ領域に過去の録画情報が記録されている場合（ステップＳ３３でＹｅｓと判断された場合）には、この録画情報を読み出すとともに、この読み出した録画情報の中で最も録画回数の多い番組を録画予約番組として自動的に録画予約モードを設定する（ステップＳ３５）。具体的には、光ディスク１から読み出された録画情報が図３（ｃ）に示す内容であった場合、システムコントローラ１０は、録画回数の最も多いＮｏ．２の録画情報（火曜日／２０：００〜２１：００／４チャンネル）の番組を録画予約番組として録画予約モードを設定する。その結果、例えば本日が月曜日であった場合には、システムコントローラ１０は、翌日の２０：００に４チャンネルの番組の録画を開始し、同２１：００に録画を終了するように録画制御を行うことになる。
【００４２】
なお、この光ディスク１を装置本体から排出することなく１週間が経過した場合には、再び火曜日の２０：００に４チャンネルの番組の録画を開始し、同２１：００に録画を終了するように録画制御を行うことになる。つまり、録画予約番組が連続ドラマ等のシリーズ番組であった場合には、そのシリーズ番組が同じ光ディスク１に順次録画されることになる。また、録画終了後、光ディスク１が装置本体から排出された場合であっても、次の水曜日の録画開始時刻前に再び装置本体に装填して録画予約ボタンを操作しておけば、シリーズ番組が連続して録画されることになる。
【００４３】
このように、本実施例３の録画予約処理によれば、ユーザは、対象となる光ディスク１を装置本体に装填し、録画予約ボタンを押すだけで、光ディスク１に記録されている録画情報の中で録画回数の最も多い番組を録画予約番組として自動的に録画予約モードを設定することができる。これにより、ユーザが例えば連続ドラマ等のシリーズ番組を１つの光ディスク１に録画している場合において、その光ディスク１に別の番組を１回録画したような場合でも、その後、同じ光ディスク１に同じシリーズ番組を続けて録画することができる。
【図面の簡単な説明】
【００４４】
【図１】本発明の情報処理装置であるＤＶＤレコーダのシステム構成図である。
【図２】本発明のＤＶＤレコーダにおいて、装填された光ディスクに任意の番組を録画する場合の処理動作を説明するためのフローチャートである。
【図３】光ディスクに記録された録画情報の一例を示す説明図であり、同図（ａ）は、日付までは記録しない例、同図（ｂ）は日付も含めて記録した例、同図（ｃ）は、同じ曜日の同じ録画時間の同じチャンネルの録画番組については、これを同じ番組（シリーズの番組）としてその録画回数も含めて記録した例である。
【図４】本発明のＤＶＤレコーダにおいて、実施例１の録画予約処理動作を説明するためのフローチャートである。
【図５】本発明のＤＶＤレコーダにおいて、実施例２の録画予約処理動作を説明するためのフローチャートである。
【図６】本発明のＤＶＤレコーダにおいて、実施例３の録画予約処理動作を説明するためのフローチャートである。
【符号の説明】
【００４５】
１  光ディスク
２  スピンドルモータ
３光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１６  チューナ回路
１８  リモコン
２１  表示装置
【図１】
2006005784.tif 000003
【図２】
2006005784.tif 000004
【図３】
2006005784.tif 000005
【図４】
2006005784.tif 000006
【図５】
2006005784.tif 000007
【図６】
2006005784.tif 000008